(57)【要約】【課題】和風便器の上部を除去し、該和風便器の排水口に対して連通するように排水パイプを立ち上げ、該和風便器内を自硬性充填物で埋め、その後、その上に洋風便器を設置するトイレの和洋改修方法において、和風便器残体の保持強度が高く、しかも床の防水性も良好なトイレの和洋改修方法を提供する。【解決手段】和風便器１０の上部を除去するに際し、該和風便器１０の上部を床スラブ１（表層１ｂ）の上面よりも所定深さだけ深いレベルまで除去すると共に、該和風便器１０の周囲の表層１ｂも同レベルまで除去し、次いで、和風便器１０の露出面から該和風便器１０の周囲のスラブ上面１ｃまで連なるようにガラス繊維マット２０を接着剤によって貼着し、その後、和風便器１０内を充填材２２で埋める。【選択図】図１０
2005256467.tif 000002
【特許請求の範囲】
【請求項１】
床に和風便器が設置されたトイレルームを洋風便器が設置されたトイレルームに改修する和洋改修方法であって、
該和風便器の上部を除去し、
該和風便器の排水口に対して連通するように排水パイプを立ち上げ、
該和風便器内を自硬性充填物で埋め、
その後、その上に洋風便器を設置する
トイレの和洋改修方法において、
該和風便器の上部を除去するに際し、該和風便器の上部を前記床の上面よりも所定深さだけ深いレベルまで除去し、且つ和風便器周囲の床も同レベルまで除去し、次いで、和風便器の露出面から該和風便器周囲の床上面まで連なるように繊維マットを接着剤によって貼着し、
その後、前記和風便器内を充填物で埋める以降の工程を行うことを特徴とするトイレの和洋改修方法。
【請求項２】
請求項１において、繊維マットを貼着するのに先立って、和風便器の露出面の少なくとも一部に擦過傷を付けることを特徴とするトイレの和洋改修方法。
【請求項３】
請求項１又は２において、該繊維マットはガラス繊維マットであることを特徴とするトイレの和洋改修方法。
【請求項４】
請求項１ないし３のいずれか１項において、前記充填物を和風便器内に充填した後、充填物の上面にプレートを敷き、該プレートの上に洋風便器を設置することを特徴とするトイレの和洋改修方法。
【請求項５】
請求項４において、該プレートには開口が設けられており、
充填物が硬化する前に該プレートを充填物の表面に押し込んで周囲の充填物上面と面一状とすることを特徴とするトイレの和洋改修方法。
【発明の詳細な説明】
【技術分野】
【０００１】
本発明は、和風便器が設置されているトイレルームを洋風便器が設置されたトイレルームに改修するためのトイレの和洋改修方法に関する。詳しくは、コンクリート等よりなる床スラブ上に和風便器が設置されている場合に採用されるトイレの和洋改修方法に関する。
【背景技術】
【０００２】
ビルや公団アパート等の和風トイレルームにあっては、コンクリート製床スラブに和風便器設置用の開口が設けられ、この開口に上方から嵌め込むようにして和風便器が設置されている。和風便器の排水口には、スラブ下を引き回された排便管が接続されている。
【０００３】
このような和風トイレルームを洋風便器が設置された洋風トイレルームに改修する場合、和風便器をすべてハツリ落し、排便管を立て直し、スラブ開口に補強筋を配筋してコンクリートで埋めて床を構築し、その後洋風便器を設置することが行われている。しかしながら、この工法では、階下へ和風便器の解体ガラが落下したり排便管の移動などのために階下からの工事も必要となり、工期が長くなり、コストも嵩むものとなっていた。
【０００４】
階上からだけの和洋改修が可能な工法として、特許第３１８３２９５号公報には、トイレルームの床に設置された和風便器の上部を除去し、該和風便器の排水口に対して連通するように排水パイプを立ち上げ、該和風便器内を自硬性充填物で埋め、その後、その上に洋風便器を設置する工法が記載されている。
【特許文献１】特許第３１８３２９５号公報
【発明の開示】
【発明が解決しようとする課題】
【０００５】
上記特許第３１８３２９５号公報の工法にあっては、和風便器の上部を除去したことに伴って和風便器残体の床スラブへの掛りが浅くなり、和風便器残体が抜けるおそれがある。また、和風便器残体の一部が割れると、部分的に落下する可能性がある。さらに、和風便器の上部を除去したために、和風便器残体と床スラブとの合わせ目が露呈することになり、床スラブの防水性も低下する。
【０００６】
本発明は、和風便器の上部を除去し、該和風便器の排水口に対して連通するように排水パイプを立ち上げ、該和風便器内を自硬性充填物で埋め、その後、その上に洋風便器を設置するトイレの和洋改修方法において、和風便器残体の床に対する保持強度が高く、且つ該和風便器残体が割れた場合でも部分的に落下することが防止され、しかも床の防水性も良好なトイレの和洋改修方法を提供することを目的とする。
【課題を解決するための手段】
【０００７】
本発明（請求項１）のトイレの和洋改修方法は、床に和風便器が設置されたトイレルームを洋風便器が設置されたトイレルームに改修する和洋改修方法であって、該和風便器の上部を除去し、該和風便器の排水口に対して連通するように排水パイプを立ち上げ、該和風便器内を自硬性充填物で埋め、その後、その上に洋風便器を設置するトイレの和洋改修方法において、該和風便器の上部を除去するに際し、該和風便器の上部を前記床の上面よりも所定深さだけ深いレベルまで除去し、且つ和風便器周囲の床も同レベルまで除去し、次いで、和風便器の露出面から該和風便器周囲の床上面まで連なるように繊維マットを接着剤によって貼着し、その後、前記和風便器内を充填物で埋める以降の工程を行うことを特徴とするものである。
【０００８】
請求項２のトイレの和洋改修方法は、請求項１において、繊維マットを貼着するのに先立って、和風便器の露出面の少なくとも一部に擦過傷を付けることを特徴とするものである。
【０００９】
請求項３のトイレの和洋改修方法は、請求項１又は２において、該繊維マットはガラス繊維マットであることを特徴とするものである。
【００１０】
請求項４のトイレの和洋改修方法は、請求項１ないし３のいずれか１項において、前記充填物を和風便器内に充填した後、充填物の上面にプレートを敷き、該プレートの上に洋風便器を設置することを特徴とするものである。
【００１１】
請求項５のトイレの和洋改修方法は、請求項４において、該プレートには開口が設けられており、充填物が硬化する前に該プレートを充填物の表面に押し込んで周囲の充填物上面と面一状とすることを特徴とするものである。
【発明の効果】
【００１２】
本発明のトイレの和洋改修方法にあっては、上部が除去された和風便器の残体の露出面から和風便器周囲のスラブ上面にまで連なるように繊維マットを接着剤で貼着するので、和風便器残体が該繊維マット及び接着剤の硬化物を介して床スラブに保持されることになり、和風便器残体の保持強度が高いものとなると共に、該和風便器残体が割れて部分的に落下することも防止される。
【００１３】
特に、請求項２のように、繊維マットの貼着に先立って和風便器の露出面の少なくとも一部に、鉄ブラシで擦ることなどにより擦過傷を付けておくと、繊維マットと和風便器残体との接着強度が高まり、和風便器残体の保持強度が極めて高くなる。
【００１４】
また、本発明では、このように繊維マットと接着剤との硬化体が和風便器周囲及び和風便器を覆うため、床の防水性も十分に高いものとなる。
【００１５】
この繊維マットとしては、ガラス繊維マットが、取り扱い性の良さ並びに接着後の和風便器保持強度の高さから好適である（請求項３）。なお、本発明においては、ガラス繊維マット以外にも、例えば金属繊維マットやカーボン繊維（カーボンファイバー）マットなどの種々の繊維マットを用いることができる。
【００１６】
請求項４のトイレの和洋改修方法によると、洋風便器の荷重が分散され、和風便器残体に負荷される荷重が軽減される。
【００１７】
請求項５のトイレの和洋改修方法によると、プレートがモルタル等の充填物と一体化し易い。
【発明を実施するための最良の形態】
【００１８】
以下、図面を参照して本発明の実施の形態について説明する。
【００１９】
第１図〜第８図は実施の形態に係るトイレの和洋改修方法によるトイレの改修手順を示す縦断面図、第９図は洋風便器設置前のトイレ床面の斜視図、第１０図は洋風便器設置後の縦断面図である。
【００２０】
第１図に示すように、トイレルームの床スラブ１に和風便器設置用開口２が設けられ、この開口２に上方から嵌め込まれるようにして陶器製の和風便器１０が設置されている。この実施の形態では、該床スラブ１はコンクリート製の床スラブ本体１ａと、該床スラブ本体１ａの上面に形成されたモルタル等よりなる表層（仕上げ層）１ｂとからなる。図示の通り、和風便器１０の便鉢１２の上縁部が全周にわたって表層１ｂの上面から所定深さだけ該表層１ｂに埋め込まれるようにして開口２の周縁部に係合しており、両者の接合面同士はモルタルや防水剤（アスファルト等）或いは接着剤などにより水密に固着されている。この床スラブ１の下側空間に排便管３が配設され、該開口２内においてこの排便管３と和風便器１０の排水口１１とが接続されている。
【００２１】
符号１３は該便鉢１２の前部（和風便器１０使用者にとっての前部）から立設された前立て部を示し、符号１４は和風便器１０への給水管を示している。
【００２２】
なお、この実施の形態では、該便鉢１２の前部に排水トラップ１５が連通している。該排水トラップ１５は、便鉢１２の下側において上下にジグザグ状に蛇行しつつ該便鉢１２の前部側から後部側に向って延在している。図示の通り、この排水トラップ１５の下流側は便鉢１２の後部下面から下方に向って突出状に延在した管状流路となっており、その先端に排便管３への前記排水口１１が設けられている。この排水トラップ１５の下流側の管状流路が排便管３に差し込まれることにより排水口１１が排便管３に接続されている。
【００２３】
以下に、この和風トイレを洋風トイレに改修するための施工手順について説明する。
【００２４】
まず、第１図から第２図のように、和風便器１０の上部（便鉢１２の上縁部及び前立部１３等）をダイヤモンドカッター等を用いて切除する。この際、図示の通り、床スラブ１（表層１ｂ）の上面から所定深さ（前記開口２の周縁部に対する便鉢１２の上縁部の係合（引掛かり）が失われない程度の深さ）だけ深いレベルまで和風便器１０の上部を除去する。また、これに伴い、該和風便器１０の周囲の表層１ｂも、その上面から和風便器１０の上部と同レベルの深さまで除去する。第２図の符号１ｃは、この除去により新たに形成された和風便器１０の周囲のスラブ（床）上面を示している。
【００２５】
次に、第３図のように便鉢１２の底部（排水口１１の上方に位置する部分）を除去し、排水口１１が便鉢１２の上方へ露見するようにする。符号１２ａはこの便鉢１２の底部の除去により開けられた開口を示している。また、排水トラップ１５内の溜水を除去しておく。
【００２６】
次に、この和風便器１０残体の露出面（便鉢１２や排水トラップ１５等の内側面、並びに該便鉢１２の上縁部の切断面等）から該和風便器１０の周囲のスラブ上面１ｃにかけて接着剤（図示略）を付着させる。そして、この接着剤により、第４図の如く和風便器１０の該露出面からスラブ上面１ｃまで連続するように繊維マットとしてのガラス繊維マット２０を貼り付ける。
【００２７】
なお、この接着剤を和風便器１０の露出面に付着させるのに先立ち、該露出面を鉄ブラシで擦るなどして該露出面の少なくとも一部、好ましくは接着剤が付着される部分全体に擦過傷を付けておくことにより、ガラス繊維マット２０と和風便器１０との接着力を高めることができる。
【００２８】
この接着剤としては、ガラス繊維マット２０と和風便器１０の表面のガラス質との接着力の高さから、ガラス繊維マット２０とエポキシ樹脂系の組み合わせが好適であるが、これに限定されるものではない。
【００２９】
本発明においては、接着剤をガラス繊維マット２０に対し予め付着ないし含浸させておいてもよい。
【００３０】
なお、和風便器１０残体の露出面の形状によっては、ガラス繊維マット２０が接着剤を介して該露出面に対し部分的に一体化し得ない箇所が生じる場合がある。本発明方法においては、もちろん、ガラス繊維マット２０が全面にわたって一体化していることが最善であるが、殆どの部分で一体化していれば、和風便器１０残体の床スラブ１に対する保持強度は十分に確保される。
【００３１】
この接着剤とガラス繊維マット２０とをなじませた後（接着剤がガラス繊維マット２０に十分に浸透した後）、排水口１１に対して連通するように排水パイプ２１を立ち上げる。詳しくは、該排水口１１に連通した排水トラップ１５の下流側の前記管状流路内に、便鉢１２の底部の開口１２ａを介して上方から排水パイプ２１の一端側（下端側）を差し込み、その後、接着剤を硬化させる。
【００３２】
符号２１ａは、この排水パイプ２１の下端部（該管状流路内に差し込まれる部分）の外周を取り巻くように装着されたガスケット（シール部材）を示している。この実施の形態では、該排水パイプ２１の軸心線方向に位置を異ならせて２個のガスケットが配置されている。
【００３３】
この排水パイプ２１の上端側は、第５，６図に示す通り、本来の（和風便器１０の上部と共に除去されていない）表層１ｂの上面よりも上位となる高さまで延在している。
【００３４】
次に、第６図のように和風便器１０残体の内側を自硬性充填材２２で埋める。この実施の形態では、該自硬性充填材２２として、軽量・速乾・無収縮性のモルタルを使用している。この充填材２２は、図示の通り、その上面が本来の表層１ｂの上面と略面一となるように充填される。
【００３５】
この充填材２２が硬化する前に、第７図のように該充填材２２の上面に洋風便器支持用のプレート２３を敷設する。この際、該プレート２３を充填材２２の表面に押し込み、図示の如く該プレート２３の上面とその周囲の充填材２２の上面とが面一状となるようにする。
【００３６】
第９図の通り、この実施の形態では、該プレート２３は、互いに平行に延在する１対の側辺部２３ａ，２３ａと、該側辺部２３ａ，２３ａの一端同士をつなぐ橋絡部２３ｂとを有したコ字形の鋼板よりなり、該充填材２２の上面から突出した排水パイプ２１をこれらの側辺部２３ａ，２３ａ及び橋絡部２３ｂによって取り囲むように配置される。
【００３７】
また、このプレート２３には、その全面にわたって多数の孔２３ｃが穿設されており、プレート２３を充填材２２の表面に押し込んだときに各孔２３ｃに充填材２２が入り込み、該プレート２３がしっかりと充填材２２の表面に一体化するようになる。
【００３８】
充填材２２が硬化した後、この充填材２２の上面から上方に突出した排水パイプ２１の上端側を所定位置から除去する。この実施の形態では、該排水パイプ２１は、その切断面が周囲の充填材２２の上面と面一状となるように切断される。
【００３９】
次に、第９図のように、該排水パイプ２１の上端に床フランジ（下流側接続部材）２４を装着して充填材２２の上面に固定する。そして、この床フランジ２４に連結された排水ソケット（上流側接続部材：図示略）を介して洋風便器３０の排水口（図示略）と排水パイプ２１とを接続しつつプレート２３上に該洋風便器３０を載設し、床スラブ１に該洋風便器３０を固定する。
【００４０】
このトイレの和洋改修方法にあっては、上部が除去された和風便器１０残体の露出面から該和風便器１０の周囲のスラブ上面１ｃにまで連なるようにガラス繊維マット２０を接着剤で貼着するので、和風便器１０残体が該ガラス繊維マット２０の硬化物を介して床スラブ１に保持されることになり、和風便器１０残体の保持強度が高いものとなる。
【００４１】
特に、この実施の形態のように、ガラス繊維マット２０の貼着に先立って和風便器１０の露出面の少なくとも一部に、鉄ブラシで擦ることなどにより擦過傷を付けておくと、ガラス繊維マット２０と和風便器１０残体との接着強度が高まり、和風便器１０残体の保持強度が極めて高くなる。
【００４２】
また、このトイレの和洋改修方法にあっては、このようにガラス繊維マット２０の接着剤による硬化体が和風便器１０の周囲及び和風便器１０を覆うため、床の防水性も十分に高いものとなる。
【００４３】
この実施の形態では、充填材２２の上面に洋風便器支持用のプレート２３を敷設し、このプレート２３上に洋風便器３０を載設しているので、洋風便器３０の荷重が分散され、和風便器１０残体に負荷される荷重が軽減される。
【００４４】
また、この実施の形態では、該プレート２３を、充填材２２が硬化する前に該充填材２２の上面に押し込んで周囲の充填材２２の上面と面一状としているので、該プレート２３が充填材２２と一体化し易い。
【００４５】
特に、この実施の形態では、該プレート２３に多数の孔２３ｃが穿設されており、各孔２３ｃに充填材２２が入り込むので、プレート２３が該充填材２２の上面に強く一体化するようになる。
【００４６】
上記の実施の形態は本発明の一例を示すものであり、本発明は上記の実施の形態に限定されるものではない。
【００４７】
例えば、上記の実施の形態では、第１０図に示すように、洋風便器３０は、その使用時の前後方向が、トイレルームに元々設置されていた和風便器１０の使用時の前後方向と交差方向となるように設置されているが、洋風便器３０の向きはこれに限定されるものではなく、改修後のトイレルームの仕様等により適宜設定される。また、これに合わせて、トイレルームの床面上に敷設されるプレート２３の向きも適宜変更される。
【００４８】
上記実施の形態では、和風便器１０残体の露出面にガラス繊維マット２０を貼り付けた後、和風便器１０の内側を充填材２２で埋め、さらにこの充填材２２の上面にプレート２３を敷き、このプレート２３上に洋風便器３０を載設しているが、本発明においては、和風便器１０残体の露出面にガラス繊維マット２０を貼り付けた後、和風便器１０の内側を充填材２２で埋めずに、該和風便器１０残体の上方を横切るようにしてプレート２３を床面上に敷き、このプレート２３上に洋風便器３０を載設してもよい。この場合、和風便器１０残体はガラス繊維マット２０によって床スラブ１に保持され、洋風便器３０はプレート２３によって床面上に支持される。
【００４９】
上記の実施の形態では繊維マットとしてガラス繊維マットを用いているが、本発明においては、これ以外にも、例えば金属繊維マットやカーボン繊維マットなど、強度の高い各種の繊維を用いた種々の繊維マット（いわゆる強化繊維マット）も用いることができる。
【００５０】
なお、本発明は床に和風便器が設置されたトイレルームを洋風便器が設置されたトイレルームに改修するトイレの和洋改修方法に関するものであるが、本発明方法は、単に床から和風便器を取り除く床改修方法にも応用可能である。
【００５１】
即ち、本発明方法を応用して床から和風便器を取り除く床改修方法を行うに当っては、まず、和風便器の上部を床の上面よりも所定深さだけ深いレベルまで除去し、且つ和風便器周囲の床も同レベルまで除去し、次いで、和風便器の露出面から該和風便器周囲の床上面まで連なるように繊維マットを接着剤によって貼着し、その後、和風便器内を充填物で埋める。
【００５２】
このように本発明方法を応用した床から和風便器を取り除く床改修方法においても、和風便器残体が該繊維マット及び接着剤の硬化物を介して床スラブに保持されることになり、和風便器残体の保持強度が高いものとなると共に、該和風便器残体が割れて部分的に落下することも防止される。
【図面の簡単な説明】
【００５３】
【図１】実施の形態に係るトイレの和洋改修方法によるトイレルームの改修手順の説明図である。
【図２】実施の形態に係るトイレの和洋改修方法によるトイレの改修手順の説明図である。
【図３】実施の形態に係るトイレの和洋改修方法によるトイレの改修手順の説明図である。
【図４】実施の形態に係るトイレの和洋改修方法によるトイレの改修手順の説明図である。
【図５】実施の形態に係るトイレの和洋改修方法によるトイレの改修手順の説明図である。
【図６】実施の形態に係るトイレの和洋改修方法によるトイレの改修手順の説明図である。
【図７】実施の形態に係るトイレの和洋改修方法によるトイレの改修手順の説明図である。
【図８】実施の形態に係るトイレの和洋改修方法によるトイレの改修手順の説明図である。
【図９】洋風便器設置前のトイレルーム床面の斜視図である。
【図１０】洋風便器設置後の縦断面図である。
【符号の説明】
【００５４】
１  床スラブ
１ａ  床スラブ本体
１ｂ  表層
１ｃ  和風便器周囲のスラブ上面
２  和風便器設置用開口
３  排便管
１０  和風便器
１１  排水口
１２  便鉢
１５  排水トラップ
２０  ガラス繊維マット
２１  排水パイプ
２２  充填材
２３  プレート
【図１】
2005256467.tif 000003
【図２】
2005256467.tif 000004
【図３】
2005256467.tif 000005
【図４】
2005256467.tif 000006
【図５】
2005256467.tif 000007
【図６】
2005256467.tif 000008
【図７】
2005256467.tif 000009
【図８】
2005256467.tif 000010
【図９】
2005256467.tif 000011
【図１０】
2005256467.tif 000012